(57)【要約】　　　（修正有）【課題】ダイヤフラム部や吐出弁等の軟質の材料により形成される部品がポンプ作用によって変形を繰り返す等の理由による材質の変化等のために寿命が低下したり、他部品との粘着による騒音の発生等を防止する。【解決手段】ダイヤフラム部１１、吸入弁１９、吐出弁１３等のゴム、合成ゴム等の柔軟な材料よりなりポンプ作用中に形状等の変化する、これら軟質部品の表面にこれら材料に対して付着性のよい材料よりなる微粉末を付着させる。【選択図】　　図１
2004019528.tif 000002
【特許請求の範囲】
【請求項１】
ダイヤフラム本体に一体に形成されたダイヤフラム部と、前記ダイヤフラム部に一体に設けられた駆動部と、吸入弁と、吐出弁とを少なくとも備え、前記ダイヤフラム部の駆動部を往復動させることにより前記ダイヤフラム部にて構成されるポンプ室内の圧力を変化させることにより、流体を吸入弁を通してポンプ室内に吸入し吐出弁を開いてポンプ外に供給するポンプで、軟質の材料にて形成される部品表面にこの軟質材料への付着性のよい微粉末を付着させたことを特徴とするダイヤフラムポンプ。
【請求項２】
前記吸入弁および吐出弁に軟質材料への付着性のよい微粉末を付着させたことを特徴とする請求項１のダイヤフラムポンプ。
【請求項３】
前記ダイヤフラム部に軟質性材料への付着性のよい微粉末を付着させることを特徴とする請求項１のダイヤフラムポンプ。
【請求項４】
前記軟質性材料への付着性のよい微粉末の摩擦係数が小であることを特徴とする請求項２又は３のダイヤフラムポンプ。
【発明の詳細な説明】
【０００１】
【発明の属する技術分野】
本発明は、ダイヤフラムポンプに関するものである。
【０００２】
【従来の技術】
従来のダイヤフラムポンプは、例えば図１に示すような構成のものが知られている。この図において１はモータ、２はモータ１の出力軸、３は出力軸２に固定されたクランク台、４はクランク台３に傾斜させて固定されている駆動軸、６は駆動軸４に対して回動可能に取り付けられている駆動体、７はケーシング、８はシリンダー部、９はバルブハウジングである。１１はダイヤフラム部、１２は駆動部、１３は円筒状の吐出弁で、このダイヤフラム部１１と吐出弁１３とが一体に構成されていてダイヤフラム本体１０を構成する。このダイヤフラム本体１０はシリンダー部８とバルブハウジング９とにより保持されている。また１６、１７はバルブハウジング９と一体に形成された弁室部（共通室）および吐出口、１８は吸気口、１９は吸気弁である。
【０００３】
このような構成のダイヤフラムポンプは、モータ１の駆動による出力軸２の回転によりクランク台３が回転する。このクランク台３の回転によりそれに固定されている駆動軸４はその傾斜方向が変化する。それにより駆動体６も変化し、それに取り付けられたダイヤフラム部１１の駆動部（ピストン部）１２が往復動しポンプ作用を行なう。つまり図面右側のダイヤフラム部のように駆動部１２が上昇するとポンプ室１４の容積が減少して圧力が増加し、円筒状の吐出弁１３を開いて吐出口１７より流体が送り出される。一方、左側のダイヤフラム部のように駆動部１２が下降するとそのポンプ室１４の容積が増大し吸気弁１９を開いて外部の流体が流入する。
【０００４】
このように、ポンプ室の容積の変化により、流体は外部より吸気弁を通ってポンプ室内に流入し、次に流入した流体は吐出弁を開いて吐出口より供給されるというポンプ作用を行なう。
【０００５】
ダイヤフラムポンプの他の従来例として図２に示すポンプが知られている。
【０００６】
図２において１はモータ、２はモータ１の出力軸、３は出力軸２に固定されているクランク台、４はクランク台３に出力軸２に対し傾斜させて固定されている駆動軸、６は駆動体で、その軸受部６ａに駆動軸４が挿入されることにより駆動軸４に回動可能に取り付けられている。７は通気孔７ａを有するケース、８はシリンダー部、９はバルブハウジング、１０はシリンダー部８とバルブハウジング９とにて保持されているダイヤフラム部１１を有するダイヤフラム本体、１３はバルブハウジング９に取り付けられている吐出弁、１４はポンプ室である。また、２０は吐出口２１を有する集気体である。そしてケース７、シリンダー部８、バルブハウジング９、集気体２０をシリンダー部８とバルブハウジング９とによりダイヤフラム本体１０を挟み、また吐出弁１３をバルブハウジング９に取り付けて、図２に示すように組み立てたものである。
【０００７】
このダイヤフラムポンプにおいて、ダイヤフラム本体１０は、図３に示す通りであり、そのうち（Ａ）は平面図、（Ｂ）は側面図（断面図）である。更に図４はバルブハウジング９の平面図である。
【０００８】
これら図のうち、図３のダイヤフラム本体１０は、複数のダイヤフラム部１１（この図のものは（Ａ）の平面図のように３ケが円周上に等間隔に配置されている）とこれら各ダイヤフラム部１１の間には三つの薄い平面状のバルブ部分１１ａが形成され、各バルブ部分１１ａには孔１１ｂが形成された形状である。このダイヤフラム本体１１は、図１１に示すようにシリンダー部８とバルブハウジング９とにより保持されている。
【０００９】
またバルブハウジング９は図４に示す通りの形状である。この図は図２の下方より見た図で９ａは通気孔、９ｂは溝である。
【００１０】
以上のようなダイヤフラム本体１０、バルブハウジング９を図２に示すようにダイヤフラム本体１０をシリンダー部８とバルブハウジング９とにより挟んで保持する。
【００１１】
このようにダイヤフラム部１０を保持した上で、吐出弁１３をバルブハウジング９に配置し、更に吐出口２１を有する集気体２０をバルブハウジング９に取り付けるようにしている。尚２２は集気体２０に設けられたバルブ押えで、これにより吐出弁１３を押え固定する。
【００１２】
このようにして、図２に示すように組み立ててダイヤフラムポンプが形成される。
【００１３】
このポンプは、モータ１を駆動することにより、出力軸２を回転させこれに固定するクランク台３を回転させる。これにより駆動軸４がその傾斜方向を変化させ、駆動体６の傾斜方向を変化させて、ダイヤフラム部１１の駆動部１２を上下動する。
【００１４】
この駆動部１２の上下動によりポンプ室１４の容積が変化する。このダイヤフラム部１１の駆動部１２が図２より上昇するとポンプ室１４の容積が減少して圧力が増大し、これにより弁１３を開き、集気体２０のバルブハウジング９との間の空隙を通り吐出口２１より外部に供給される。この時に、他のダイヤフラム部に対応する吐出弁は閉じられている。
【００１５】
また、図２の右側のダイヤフラム部１１の駆動部１２が下降してポンプ室１４の容積が増大するとポンプ室内の圧力は減少し、吐出弁１３は閉じる。逆にダイヤフラム本体の平板状の肉薄部分（吸入弁）１０ａは空間１５側に変形して開き、これにより生ずるシリンダー部８との間隙に孔８ａよりシリンダー部８、ケース７の空間内の流体が流入し、更に小孔１０ｂを通りバルブハウジング９の溝９ｂ（図４）を通ってダイヤフラム部内に流入する。その際ケース７に設けられた通気孔７ａより外部よりケース７内に流体が流入する。
【００１６】
このような操作を繰り返すことによりこのポンプ室は、流体の流入と流出を続けてポンプ作用を行なう。
【００１７】
【発明が解決しようとする課題】
このような従来のダイヤフラムポンプは、ダイヤフラム本体のダイヤフラム部、吸入弁、吐出弁は、ダイヤフラム部が駆動部の往復動によって変形してポンプ室の容積を変化させ、また吸入弁や吐出弁が弁開閉のために変形させる必要がある。
【００１８】
そのために、こら部品は、一般に合成ゴム等の柔軟性のある材料にて形成されている。
【００１９】
これら部品は、長い期間使用する間に材質が変化し、表面がべとつくようになり他の部品と粘着する等の不具合が生ずる。また、材料により軟質であるために初めから他の物品、例えば弁の場合バルブハウジングに対し弱い粘着性を有するものもある。そのため、ポンプ操作がスムーズではないこともある。
【００２０】
また、弁のこのような状態にて弁開閉操作が行なわれると、騒音を発する等の欠点がある。
【００２１】
また、ダイヤフラム部は、駆動部の運動や圧力等により、合成ゴムが互いに擦れ、または、合成ゴムが他の部品と擦れ、摩耗し、十分な寿命が得られない欠点がある。
【００２２】
本発明は、上記欠点を解消するためになされたもので、これら軟質材料よりなる部品間の付着や部品の摩耗を改善したダイヤフラムポンプを提供するものである。
【００２３】
【課題を解決するための手段】
本発明のダイヤフラムポンプは、ダイヤフラム本体に一体に形成されたダイヤフラム部と、前記ダイヤフラム部に一体に設けられた駆動部と、吸入弁と、吐出弁とを少なくとも備え、前記ダイヤフラム部の駆動部を往復動させることにより前記ダイヤフラム部にて構成されるポンプ室内の圧力を変化させることにより、流体を吸入弁を通してポンプ室内に吸入し吐出弁を開いてポンプ外に供給するポンプで、ダイヤフラム部、吸入弁、吐出弁等の軟質の材料にて形成される部品表面に二硫化モリブデン、黒鉛等の微粉末を付着させたことを特徴とする。
【００２４】
本発明のダイヤフラムポンプにおいて、微粉末をダイヤフラム部に付着させる場合摩擦係数が小である材料を用いることが望ましい。また、ダイヤフラム部以外の吸入弁、吐出弁等軟質の材料に付着させる微粉末も、摩擦係数が小であればより好ましい。
【００２５】
【発明の実施の形態】
次に本発明のダイヤフラムポンプの実施の形態について説明する。
【００２６】
本発明のダイヤフラムポンプの構成は、図１、図２に示すような従来のダイヤフラムポンプと全く同じである。
【００２７】
このような構成のダイヤフラムポンプにおて、前述のような柔軟性のある材料にて形成されているダイヤフラム部、吸入弁、吐出弁等に柔軟性のある材料に対し付着性のよい材料、例えば二硫化モリブデン（ＭｏＳ２）、黒鉛等の微粉末を付着させたものである。
【００２８】
これら二硫化モリブデンや黒鉛の微粉末は、柔軟性を有する材料に付着し易く、また付着後は取れにくい性質を有している。また、これら材質の微粉末は、摩擦係数が小である。
【００２９】
このように例えばダイヤフラム部に前記性質を有する微粉末を付着させることにより、その合成ゴム材料に対する付着性により、ダイヤフラム部を形成する合成ゴム等の材料の付着性が良いため落ちることなく、しかもダイヤフラム部の駆動部の往復動により変形が繰り返されてもほとんどが付着した状態を保ち、またダイヤフラム部の変形によって、例えば、その二つの箇所が互いに接したとしてもこれら微粉末は摩擦係数が小であることにより、耐摩耗性が大幅に改善される。
【００３０】
また、吸入弁や吐出弁に前記物質よりなる微粉末を付着させた場合、前記と同様にその付着性により弁開閉の繰り返しによっても微粉末が弁より取れることなく、また弁開閉の際に、この微粉末の存在により、合成ゴム等の柔軟な物質の材質の変化によるその表面がべたつく等によりバルブハウジング等の他の材質の部品に粘着することがほとんどなく性能の劣化を防止し十分な耐久性が得られる。また、吸入弁、吐出弁等の逆止弁の場合、前記材質の変化によるべたつきのため弁開閉時発生する騒音も、前記微粉末の付着により抑制し得る。
【００３１】
この弁等に付着させる微粉末も、摩擦係数の小さい材料の微粉末でもよい。
【００３２】
この実施の形態の説明におけるダイヤフラムポンプつまり図１、図２に示すダイヤフラムポンプは一例であって、ダイヤフラム部の変形によりポンプ作用を行なうポンプであれば、どのような構成のポンプであっても本発明の適用が可能であり、それにより本発明の目的を達成し得、同様の効果を奏する。
【００３３】
【発明の効果】
本発明によれば、柔軟性を有する部品に二硫化モリブデンや黒鉛等の微粒子を付着させることによりこれら部品の耐久性が大になると共にポンプ自体も長期間にわたって良好に作動し、また騒音の発生も少なくなる等の効果を有する。
【図面の簡単な説明】
【図１】ダイヤフラムポンプの一例を示す図
【図２】ダイヤフラムポンプの他の例を示す図
【図３】図２に示すダイヤフラムポンプのダイヤフラム部の構成を示す図
【図４】図２に示すダイヤフラムポンプのバルブハウジングの構成を示す図
【図１】
2004019528.tif 000003
【図２】
2004019528.tif 000004
【図３】
2004019528.tif 000005
【図４】
2004019528.tif 000006